(57)【特許請求の範囲】
【請求項１】
物体側から像側へ順に、ズーミングのためには移動しない正の屈折力の前レンズ群、ズーミングのために移動する複数の変倍レンズ群、ズーミングのためには移動しない正の屈折力の後レンズ群からなり、隣り合うレンズ群の間隔がいずれもズーミングのために変化するズームレンズであって、
前記複数の変倍レンズ群は、物体側から像側へ順に、負の屈折力のレンズ群Ｖ１ａと、負の屈折力のレンズ群Ｖ１ｂと、広角端から望遠端へのズーミングのために物体側に凸状の軌跡で移動する負の屈折力のレンズ群Ｖ２と、ズーミングに伴う像面変動を補正するための負又は正の屈折力のレンズ群Ｃとからなり、
広角端から望遠端へのズーミングのために前記レンズ群Ｖ１ａと前記レンズ群Ｖ１ｂとは、いずれも像側へ移動し、前記レンズ群Ｖ１ａと前記レンズ群Ｖ１ｂとの光軸上における間隔は、広角端で最小値となり、
前記最小値をｍ１とし、ズーミングにおける前記レンズ群Ｖ１ａと前記レンズ群Ｖ１ｂとの光軸上における間隔の最大値をｍ２とし、広角端における前記ズームレンズの焦点距離をｆｗとし、望遠端における前記ズームレンズの焦点距離をＦｔとして、
０．４０＜ｍ１／ｍ２＜０．９８
２１．３１≦Ｆｔ／Ｆｗ＜４０．０
なる条件式を満足することを特徴とするズームレンズ。
【請求項２】
物体側から像側へ順に、ズーミングのためには移動しない正の屈折力の前レンズ群、ズーミングのために移動する複数の変倍レンズ群、ズーミングのためには移動しない正の屈折力の後レンズ群からなり、隣り合うレンズ群の間隔がいずれもズーミングのために変化するズームレンズであって、
前記複数の変倍レンズ群は、物体側から像側へ順に、負の屈折力のレンズ群Ｖ１ａと、負の屈折力のレンズ群Ｖ１ｂと、ズーミングに伴う像面変動を補正するための負又は正の屈折力のレンズ群Ｃとからなり、
前記レンズ群Ｖ１ｂは、物体側から像側へ順に、正レンズと負レンズとを接合してなる接合レンズ、正レンズ、負レンズからなり、
広角端から望遠端へのズーミングのために前記レンズ群Ｖ１ａと前記レンズ群Ｖ１ｂとは、いずれも像側へ移動し、前記レンズ群Ｖ１ａと前記レンズ群Ｖ１ｂとの光軸上における間隔は、広角端で最小値となり、
前記最小値をｍ１とし、ズーミングにおける前記レンズ群Ｖ１ａと前記レンズ群Ｖ１ｂとの光軸上における間隔の最大値をｍ２として、
０．４０＜ｍ１／ｍ２＜０．９８
なる条件式を満足することを特徴とするズームレンズ。
【請求項３】
前記レンズ群Ｖ１ａと前記レンズ群Ｖ１ｂとの光軸上における間隔は、望遠端において最大値となることを特徴とする請求項１または請求項２に記載のズームレンズ。
【請求項４】
広角端における全系の焦点距離をｆｗとし、望遠端における全系の焦点距離をＦｔとして、
６．０＜Ｆｔ／Ｆｗ＜４０．０
なる条件式を満足することを特徴とする請求項２に記載のズームレンズ。
【請求項５】
前記前レンズ群は、物体側から像側へ順に、フォーカシングのためには移動しない負の屈折力の部分群Ｆ１ａ、フォーカシングのために移動する正の屈折力の部分群Ｆ１ｂ、フォーカシングのためには移動しない正の屈折力の部分群Ｆ１ｃからなり、前記部分群Ｆ１ｃは、複数の正レンズからなることを特徴とする請求項１または請求項４に記載のズームレンズ。
【請求項６】
前記レンズ群Ｃは、広角端から望遠端へのズーミングのために物体側に凸状の軌跡で移動することを特徴とする請求項１ないし請求項５のうちいずれか１項に記載のズームレンズ。
【請求項７】
前記レンズ群Ｖ１ａは、１枚の負レンズからなることを特徴とする請求項１ないし請求項６のうちいずれか１項に記載のズームレンズ。
【請求項８】
前記レンズ群Ｖ１ｂは、物体側から像側へ順に、正レンズと負レンズとを接合してなる接合レンズと、正レンズとからなることを特徴とする請求項１に記載のズームレンズ。
【請求項９】
前記レンズ群Ｖ２は、負レンズと正レンズとを接合してなる接合レンズからなることを特徴とする請求項１または請求項８に記載のズームレンズ。
【請求項１０】
請求項１ないし請求項９のうちいずれか１項に記載のズームレンズと、
前記ズームレンズの像面に配された撮像素子と、を有することを特徴とする撮像装置。
【発明の詳細な説明】
【技術分野】
【０００１】
本発明はズームレンズ及びそれを有する撮像装置に関し、例えば放送用テレビカメラ、ビデオカメラ、デジタルスチルカメラ、銀塩写真用カメラ等の撮像装置に好適なものである。
【背景技術】
【０００２】
近年、撮像装置には大口径比、高ズーム比でしかも高い光学性能を有したズームレンズが要望されている。大口径比、高ズーム比のズームレンズとして、最も物体側に正の屈折力のレンズ群を配置したポジティブリード型のズームレンズが知られている（特許文献１，２）。
【０００３】
特許文献１、２では物体側から像側へ順に正の屈折力の第１レンズ群、負の屈折力の第２レンズ群、負の屈折力の第３レンズ群、正の屈折力の第４レンズ群、正の屈折力の第５レンズ群からなる５群ズームレンズを開示している。そしてズーミングに際して第１レンズ群と第５レンズ群が不動で、第２レンズ群、第３レンズ群、第４レンズ群が移動し、変倍と変倍に伴う像面変動の補正を行う構成よりなる高ズーム比で小型のズームレンズを開示している。
【先行技術文献】
【特許文献】
【０００４】
【特許文献１】特開２００３−２４１０９６号公報
【特許文献２】特開２０１１−１０７６９３号公報
【発明の概要】
【発明が解決しようとする課題】
【０００５】
前述したポジティブリード型のズームレンズは全系の小型化を図りつつ、高ズーム比化を図るのが比較的容易である。しかしながら、高ズーム比を図るにつれてズーミングに際して諸収差の変動が多くなり、全ズーム領域で高い光学性能を得るのが難しくなってくる。
【０００６】
全ズーム範囲にわたり高い光学性能を得るには、例えばズーミングに際して移動する各レンズ群の屈折力や移動条件、特に変倍用のレンズ群のレンズ構成やズーミングに際しての移動条件等を適切に設定することが重要になってくる。これらの構成を適切に設定しないと、ズーミングに際して諸収差の変動が増大し、高ズーム比で全ズーム範囲で高い光学性能を得るのが困難になる。
【０００７】
本発明は、例えば、高ズーム比、および全ズーム範囲における高い光学性能の点で有利なズームレンズの提供を目的とする。
【課題を解決するための手段】
【０００８】
本発明のズームレンズは、物体側から像側へ順に、ズーミングのためには移動しない正の屈折力の前レンズ群、ズーミングのために移動する複数の変倍レンズ群、ズーミングのためには移動しない正の屈折力の後レンズ群からなり、隣り合うレンズ群の間隔がいずれもズーミングのために変化するズームレンズであって、
前記複数の変倍レンズ群は、物体側から像側へ順に、負の屈折力のレンズ群Ｖ１ａと、負の屈折力のレンズ群Ｖ１ｂと、広角端から望遠端へのズーミングのために物体側に凸状の軌跡で移動する負の屈折力のレンズ群Ｖ２と、ズーミングに伴う像面変動を補正するための負又は正の屈折力のレンズ群Ｃとからなり、
広角端から望遠端へのズーミングのために前記レンズ群Ｖ１ａと前記レンズ群Ｖ１ｂとは、いずれも像側へ移動し、前記レンズ群Ｖ１ａと前記レンズ群Ｖ１ｂとの光軸上における間隔は、広角端で最小値となり、
前記最小値をｍ１とし、ズーミングにおける前記レンズ群Ｖ１ａと前記レンズ群Ｖ１ｂとの光軸上における間隔の最大値をｍ２とし、広角端における前記ズームレンズの焦点距離をｆｗとし、望遠端における前記ズームレンズの焦点距離をＦｔとして、
０．４０＜ｍ１／ｍ２＜０．９８
２１．３１≦Ｆｔ／Ｆｗ＜４０．０
なる条件式を満足することを特徴としている。
また、本発明のズームレンズは、物体側から像側へ順に、ズーミングのためには移動しない正の屈折力の前レンズ群、ズーミングのために移動する複数の変倍レンズ群、ズーミングのためには移動しない正の屈折力の後レンズ群からなり、隣り合うレンズ群の間隔がいずれもズーミングのために変化するズームレンズであって、
前記複数の変倍レンズ群は、物体側から像側へ順に、負の屈折力のレンズ群Ｖ１ａと、負の屈折力のレンズ群Ｖ１ｂと、ズーミングに伴う像面変動を補正するための負又は正の屈折力のレンズ群Ｃとからなり、
前記レンズ群Ｖ１ｂは、物体側から像側へ順に、正レンズと負レンズとを接合してなる接合レンズ、正レンズ、負レンズからなり、
広角端から望遠端へのズーミングのために前記レンズ群Ｖ１ａと前記レンズ群Ｖ１ｂとは、いずれも像側へ移動し、前記レンズ群Ｖ１ａと前記レンズ群Ｖ１ｂとの光軸上における間隔は、広角端で最小値となり、
前記最小値をｍ１とし、ズーミングにおける前記レンズ群Ｖ１ａと前記レンズ群Ｖ１ｂとの光軸上における間隔の最大値をｍ２として、
０．４０＜ｍ１／ｍ２＜０．９８
なる条件式を満足することを特徴としている。
【発明の効果】
【０００９】
本発明によれば、例えば、高ズーム比、および全ズーム範囲における高い光学性能の点で有利なズームレンズを提供できる。
【図面の簡単な説明】
【００１０】
【図１】（Ａ）、（Ｂ）  実施例１の広角端と望遠端におけるレンズ断面図
【図２】（Ａ）、（Ｂ）  実施例１の広角端（ｆ＝７．７５ｍｍ）、望遠端（ｆ＝１５８．９２）における収差図（物体距離２．５ｍ）
【図３】（Ａ）、（Ｂ）  実施例２の広角端と望遠端におけるレンズ断面図
【図４】（Ａ）、（Ｂ）  実施例２の広角端（ｆ＝７．９０ｍｍ）、望遠端（ｆ＝１６８．３３）における収差図（物体距離２．５ｍ）
【図５】本発明の撮像装置の要部概略図
【発明を実施するための形態】
【００１１】
以下に、本発明の実施の形態を添付の図面に基づいて詳細に説明する。本発明のズームレンズは、物体側から像側へ順に、ズーミングのためには移動しない正の屈折力の前群（前レンズ群）、ズーミングに際して移動するレンズ群（複数の変倍レンズ群）、ズーミングのためには移動しない正の屈折力の後群（後レンズ群）より構成され、ズーミングに際して隣り合うレンズ群の間隔が変化する。ここでレンズ群とはズーミングによって変化する光軸上のレンズ間隔によって分けられる１枚以上のレンズを含むレンズ集合体をいう。
【００１２】
変倍系は変倍用の負の屈折力のレンズ群Ｖと、変倍に伴う像面変動を補正する負又は正の屈折力のレンズ群Ｃを有している。レンズ群Ｖは物体側から像側に配置された負の屈折力のレンズ群Ｖ１ａと、負の屈折力のレンズ群Ｖ１ｂより構成される第１変倍群Ｖ１を有している。広角端から望遠端へのズーミングに際してレンズ群Ｖ１ａとレンズ群Ｖ１ｂは望遠端において双方のレンズ群の間隔が最も大きくなるように、いずれも像側へ移動する。
【００１３】
図１（Ａ）、（Ｂ）は本発明の実施例１の広角端（短焦点距離端）と望遠端（長焦点距離端）におけるレンズ断面図（物体距離無限遠）である。図２（Ａ）、（Ｂ）は、実施例１の広角端、望遠端における収差図（物体距離２．５ｍ）である。実施例１はズーム比２０．５１、Ｆナンバー１．９７〜２．６９、撮影画角７０．７２°〜３．９６°のズームレンズがある。但し、物体距離の値は、後述する数値実施例をｍｍ単位で表したときの値である。物体距離は第１レンズ面からの距離である。これらは以下、同じである。
【００１４】
図３（Ａ）、（Ｂ）は本発明の実施例２の広角端と望遠端におけるレンズ断面図（物体距離無限遠）である。図４（Ａ）、（Ｂ）は、実施例２の広角端、望遠端における収差図（物体距離２．５ｍ）である。実施例２はズーム比２１．３０、Ｆナンバー１．８６〜２．７０、撮影画角６９．６８°〜３．７４°のズームレンズがある。図５は本発明の撮像装置の要部概略図である。
【００１５】
レンズ断面図においてＵＦは前群であり、正の屈折力を有し、ズーミングに際して不動である。前群ＵＦは物体側から像側へ順に配置されたフォーカシングのためには不動の負の屈折力の部分群Ｆ１ａとフォーカシングに際して移動する正の屈折力の部分群Ｆ１ｂ、フォーカシングのためには不動の正の屈折力の部分群Ｆ１ｃから構成される。ＵＭは変倍系である。変倍系ＵＭは変倍用の負の屈折力の変倍用のレンズ群を少なくとも１つ含むレンズ群（バリエータ）Ｖと変倍に際して変動する像面を補正する負又は正の屈折力のレンズ群（コンペンセータ）Ｃを有する。
【００１６】
広角端から望遠端へのズーミングに際してレンズ群Ｃは物体側へ凸状の軌跡で移動する。ＳＰは開口絞りである。ＵＲは結像作用を有する正の屈折力の後群であり、ズーミングに際して不動である。Ｐは色分解プリズムや光学フィルタ等、同図ではガラスブロックとして示している。Ｉは撮像面である。像面Ｉには撮像素子の撮像面に相当している。矢印は広角端から望遠端へのズーミングにおけるレンズ群の移動軌跡を示す。収差図においてωは半画角（度）である。ＦｎｏはＦナンバーである。Ｓはｅ線のサジタル光線、Ｍはｅ線のメリディオナル光線である。
【００１７】
次に各実施例のズームレンズのレンズ構成について説明する。図１の実施例１と図３の実施例２は変倍用の負の屈折力のレンズ群Ｖの構成が異なる。また実施例１と実施例３ではレンズ群Ｃの屈折力の符号が異なる。図１の実施例１においてレンズ群Ｖは第１変倍群Ｖ１より構成される。第１変倍群Ｖ１は負の屈折力のレンズ群Ｖ１ａと負の屈折力のレンズ群Ｖ１ｂから構成され、広角端から望遠端へのズーミングに際して、双方のレンズ群の間隔を拡大するように像側へ移動する。
【００１８】
レンズ群Ｖ１ａとレンズ群Ｖ１ｂの２つのレンズ群は広角端で最も近接し、望遠側にズーミングするに従って間隔が拡大する。このときの間隔を変化させることにより、特に望遠側においてコマ収差を補正する。また２つのレンズ群の間隔を変化させることにより、ズーム全域においての周辺の光学性能を良好に維持している。
【００１９】
実施例１において、レンズ群Ｖ１ａは１枚の負レンズよりなる。レンズ群Ｖ１ｂは物体側から像側へ順に配置された正レンズと負レンズを接合した接合レンズ、正レンズ、負レンズよりなる。実施例１においてレンズ群Ｃの屈折力は負である。レンズ群Ｃは負レンズと正レンズを接合した接合レンズよりなる。
【００２０】
図３の実施例２において、複数の変倍レンズ群は、負の屈折力のレンズ群Ｖ１ａと、負の屈折力のレンズ群Ｖ１ｂと、負の屈折力の第２変倍群Ｖ２（レンズ群Ｖ２）とより構成される。レンズ群Ｖ１ａとレンズ群Ｖ１ｂとは、広角端から望遠端へのズーミングに際して双方のレンズ群の間隔を拡大するように像側へ移動する。
【００２１】
レンズ群Ｖ１ａとレンズ群Ｖ１ｂの２つのレンズ群は広角端で最も近接し（最小値となり）、望遠側にズーミングするに従って間隔が拡大する（望遠端で最大値となる）。このときの間隔を変化させることにより、特に望遠側においてコマ収差を補正する。また２つのレンズ群の間隔を変化させることにより、ズーム全域においての周辺の光学性能を良好に維持している。
【００２２】
第２変倍群Ｖ２は負の屈折力のレンズ群よりなり、広角端から望遠端へのズーミングに際して物体側に凸状の軌跡で移動する。レンズ群Ｖ１ａは１枚の負レンズよりなる。レンズ群Ｖ１ｂは物体側から像側へ順に配置された正レンズと負レンズを接合した接合レンズ、正レンズよりなる。第２変倍群Ｖ２は負レンズと正レンズを接合した接合レンズよりなる。実施例２においてレンズ群Ｃの屈折力は正である。レンズ群Ｃは２枚の正レンズよりなる。
【００２３】
各実施例において、広角端におけるレンズ群Ｖ１ａとレンズ群Ｖ１ｂの光軸上におけるレンズ群間隔をｍ１とする。ズーミングにおけるレンズ群Ｖ１ａとレンズ群Ｖ１ｂの光軸上におけるレンズ群間隔の最大値をｍ２とする。ここでレンズ群間隔とは、レンズ群Ｖ１ａの像側のレンズ面のレンズ面頂点からレンズ群Ｖ１ｂの物体側のレンズ面のレンズ面頂点までの光軸上の距離をいう。このことは、以下全て同じである。このとき、
０．４０＜ｍ１／ｍ２＜０．９８    ・・・（１）
なる条件式を満足する。
【００２４】
次に前述の条件式の技術的意味について説明する。条件式（１）はレンズ群Ｖ１ａとレンズ群Ｖ１ｂの光軸上におけるレンズ群間隔の変化量を規定している。条件式（１）の上限値を超えると、ズーム比が低下してしまい、高ズーム比のズームレンズを得るのが困難になる。また、下限値を超えると、コマ収差を良好に補正するのが困難になる。
【００２５】
更に好ましくは条件式（１）の数値範囲を次の如く設定するのが良い。
０．５＜ｍ１／ｍ２＜０．７    ・・・（１ａ）
後述する数値データ１ではｍ１＝５．５、ｍ２＝９．６であり、条件式（１）の値は０．５７である。数値データ２ではｍ１＝５．７、ｍ２＝９．７であり、条件式（１）の値は０．５９である。
【００２６】
各実施例において好ましくは広角端における全系の焦点距離をｆｗ、望遠端における全系の焦点距離をＦｔとする。このとき、
６．０＜Ｆｔ／Ｆｗ＜４０．０    ・・・（２）
なる条件式を満足するのが良い。条件式（２）はズームレンズのズーム比を規定している。条件式（２）の上限を超えると、コマ収差の補正が困難になり、画面周辺の光学性能が低下してくる。また、下限値を超えるとズーム比が低下し、更に望遠側においてコマ収差が補正過多になってくるので良くない。
【００２７】
更に好ましくは条件式（２）の数値範囲を次の如く設定するのが良い。
１５．０＜Ｆｔ／Ｆｗ＜２５．０    ・・・（２ａ）
後述する数値データ１ではＦｗ＝７．７５、Ｆｔ＝１５８．９２であり、条件式（２）の値は２０．５１である。後述する数値データ２ではＦｗ＝７．９０、Ｆｔ＝１６８．３３であり、条件式（２）の値は２１．３１である。
このため条件式（２）の数値範囲を
２１．３１≦Ｆｔ／Ｆｗ＜４０．０    ・・・（２ｘ）
としてもよい。
【００２８】
前群ＵＦは物体側から像側へ順に配置された、フォーカシングのためには不動の負の屈折力の部分群Ｆ１ａ、フォーカシングに際して移動する正の屈折力の部分群Ｆ１ｂ、フォーカシングのためには不動の正の屈折力の部分群Ｆ１ｃより構成される。部分群Ｆ１ｃは複数の正レンズから構成されるのが良い。
【００２９】
本発明のズームレンズにおいて、レンズ群Ｖ１ａにより画面周辺のコマ収差を良好に補正している。このため部分群Ｆ１ｃを正レンズのみで構成して、コマ収差、その他の諸収差をバランス良く補正するのが良い。
【００３０】
図５は各実施例のズームレンズを撮像光学系として用いた撮像装置１２５（テレビカメラシステム）の要部概略図である。図５において１０１は実施例１又は２のいずれか１つのズームレンズである。１２４はカメラ本体であり、ズームレンズ１０１はカメラ本体１２４に対して着脱可能になっている。１２５はカメラ１２４にズームレンズ１０１を装着することにより構成される撮像装置（撮像システム）である。尚、ここでズームレンズ１０１とカメラ本体１２４とは一体的に構成しても構わない。
【００３１】
ズームレンズ１０１は前群ＵＦ、変倍系ＬＺ、後群ＵＲを有している。前群ＵＦは合焦用レンズ群が含まれている。変倍系ＬＺは変倍の為に光軸上を移動するレンズ群と、変倍に伴う像面変動を補正する為に光軸上を移動するレンズ群が含まれている。ＳＰは開口絞りである。
【００３２】
１１４、１１５は各々前群ＵＦ、変倍系ＬＺを光軸方向に駆動するヘリコイドやカム等の駆動機構である。１１６乃至１１８は駆動機構１１４、１１５及び開口絞りＳＰを電動駆動するモータ（駆動手段）である。１１９乃至１２１は前群ＵＦ、変倍系ＬＺの光軸上の位置や、開口絞りＳＰの絞り径を検出する為のエンコーダやポテンショメータ、あるいはフォトセンサ等の検出器である。
【００３３】
カメラ本体１２４において１０９はカメラ本体１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ本体１２４及びズームレンズ本体１０１の各種の駆動を制御するＣＰＵである。このように本発明のズームレンズをテレビカメラに適用することにより、高い光学性能を有する撮像装置を実現している。
【００３４】
以下に本発明の実施例１、２に対応する数値データ１、２を示す。各数値データにおいて、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。最後の３つの面は、フィルタ等のガラスブロックである。ＢＦはバックフォーカスである。バックフォーカスＢＦは最終レンズ面から像面までの空気換算での値である。レンズ全長は第１レンズ面から最終レンズ面までの距離に空気換算でのバックフォーカスを加えた値である。
【００３５】
非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２をそれぞれ非球面係数としたとき、次式で表している。
【００３６】
【数１】
0006545113.tif 000002
【００３７】
で表される。又、例えば「ｅ−Ｚ」は「×１０−Ｚ」を意味する。＊印は非球面であることを示している。各数値データと前述した条件式及びそれに対するパラメータとの対応を表１に示す。
【００３８】
（数値データ１）
単位 mm
面データ
面番号       r        d      nd         νd
1       1152.736    3.12   1.77250    49.6           
2        192.605   12.20                             
3       -246.653    2.90   1.64000    60.1           
4        253.577    1.84                             
5        303.963    6.46   1.61800    63.3           
6      -1045.903    0.15                             
7        321.283    2.60   1.80518    25.4           
8        111.113    0.16                             
9        112.568   15.62   1.43387    95.1           
10       -204.208   18.85                             
11        180.807    7.20   1.59240    68.3           
12      -1235.290    0.15                             
13        128.104    8.61   1.43387    95.1           
14      -2177.868    0.15                             
15         90.778    8.80   1.43387    95.1           
16        407.678    0.15                             
17         65.696    6.77   1.59240    68.3           
18        148.128  (可変)                             
19*       197.626    1.00   1.88300    40.8           
20         16.351  (可変)                             
21       -483.188    6.33   1.80809    22.8           
22        -16.325    0.75   1.81600    46.6           
23         41.729    0.15                             
24*        43.678    5.10   1.56732    42.8           
25        -28.227    2.19                             
26        -17.307    0.75   1.88300    40.8           
27        -38.182  (可変)                             
28        -25.618    0.75   1.81600    46.6           
29         56.076    3.55   1.92286    21.3           
30       -273.516  (可変)                             
31(絞り)    ∞        0.84                             
32        567.106    4.26   1.67003    47.2           
33        -36.836    0.14                             
34       -128.999    3.77   1.51823    58.9           
35        -55.204    0.16                             
36         48.439    8.02   1.48749    70.2           
37        -35.593    1.15   1.88300    40.8           
38       -270.114   35.30                             
39         58.257    5.27   1.48749    70.2           
40        -49.331    0.36                             
41       -135.051    1.00   1.88300    40.8           
42         24.333    5.81   1.58913    61.1           
43      -1544.478    0.50                             
44         65.713    6.06   1.50127    56.5           
45        -31.235    1.00   1.88300    40.8           
46       -123.778    2.28                             
47         46.635    4.83   1.51633    64.1           
48        -80.164    4.50                             
49          ∞      33.00   1.60859    46.4           
50          ∞      13.20   1.51633    64.2           
51          ∞      12.12                             
像面        ∞   
【００３９】
非球面データ
第19面
K =-4.02600e+002  A 4= 1.92602e-005  A 6= 2.75811e-008  A 8=-2.58446e-010  A10= 1.42778e-012  A12=-3.17834e-015  
A 3=-2.24483e-005  A 5=-1.22124e-006  A 7= 5.18689e-009  A 9=-2.47951e-011  A11= 5.26893e-014  
第24面
K = 2.95550e+000  A 4= 9.62550e-006  A 6=-7.35957e-008  A 8=-5.17167e-010  A10=-1.58150e-012  A12= 6.22703e-014  
A 3= 3.42571e-005  A 5= 1.56729e-006  A 7= 2.67159e-010  A 9= 1.27909e-010  A11=-9.90718e-013  
各種データ
ズーム比     20.51 
焦点距離       7.75    13.77    46.92   116.35   158.92  
Fナンバー      1.97     1.96     1.96     1.97     2.69  
半画角（度）   35.36    21.77     6.69     2.71     1.98  
像高           5.50     5.50     5.50     5.50     5.50  
レンズ全長   307.88   307.88   307.88   307.88   307.88  
BF            45.79    45.79    45.79    45.79    45.79  
d18            1.06    18.37    40.29    48.43    50.08  
d20            5.54     6.59     8.37     9.38     9.63  
d27           53.58    32.97     6.35     1.56     3.33  
d30            4.85     7.11    10.02     5.66     2.00  
ズームレンズ群データ
群  始面    焦点距離  
1    1      63.66  
2   19     -20.12  
3   21     -64.40  
4   28     -37.98  
5   31     61.17 
【００４０】
（数値データ２）
単位 mm
面データ
面番号       r        d      nd         νd
1       -357.723    2.30   1.72047    34.7           
2        124.535    2.63                             
3        188.541    2.30   1.75520    27.5           
4        105.799   10.87   1.43875    94.9           
5       -206.903    0.40                             
6        136.932    6.75   1.43387    95.1           
7       -719.540    6.21                             
8        115.039    8.39   1.59240    68.3           
9       -383.737    0.15                             
10         65.620    6.55   1.75500    52.3           
11        172.249  (可変)                             
12*      -204.554    1.00   1.88300    40.8           
13         14.499  (可変)                             
14        -36.637    5.36   1.80809    22.8           
15        -14.294    0.75   1.88300    40.8           
16         53.880    0.18                             
17         37.303    4.08   1.66680    33.0           
18        -43.609  (可変)                             
19        -34.572    0.75   1.74320    49.3           
20         33.356    2.82   1.84649    23.9           
21        225.957  (可変)                             
22       -590.037    3.24   1.65844    50.9           
23        -42.334    0.15                             
24         86.590    3.33   1.51823    58.9           
25       -152.475  (可変)                             
26(絞り)    ∞       1.30                             
27         35.956    6.93   1.49700    81.5           
28        -49.256    1.00   1.88300    40.8           
29        159.092   36.60                             
30         43.911    5.49   1.48749    70.2           
31        -64.723    0.91                             
32       -395.258    1.00   1.83489    42.6           
33         24.075    6.10   1.48749    70.2           
34        -75.619    0.15                             
35         46.271    6.12   1.51633    64.1           
36        -29.306    1.00   1.88300    40.8           
37        110.271    0.34                             
38         42.112    5.30   1.57501    41.5           
39        -61.592    4.50                             
40          ∞      33.00   1.60859    46.4           
41          ∞      13.20   1.51633    64.1           
42          ∞       4.38                             
像面        ∞   
【００４１】
非球面データ
第12面
K = 2.30990e+002  A 4= 2.95863e-005  A 6=-4.64618e-008  A 8=-1.05729e-009  A10=-5.09400e-011  A12= 2.06461e-014  
A 3=-1.91280e-005  A 5=-1.16899e-006  A 7= 3.34282e-009  A 9= 4.94284e-010  A11= 1.32165e-012  
各種データ
ズーム比     21.30 
焦点距離       7.90    16.92    33.54   115.33   168.33  
Fナンバー      1.86     1.86     1.87     1.87     2.70  
半画角（度）   34.84    18.01     9.31     2.73     1.87  
像高           5.50     5.50     5.50     5.50     5.50  
レンズ全長   248.19   248.19   248.19   248.19   248.19  
BF            38.05    38.05    38.05    38.05    38.05  
d11            0.72    21.59    36.20    49.82    51.71  
d13            5.72     8.39     7.81     9.10     9.70  
d18           54.54    17.79     7.45     3.03     5.51  
d21            6.66    11.67    12.92     6.54     1.45  
d25            2.05    10.24     5.32     1.21     1.33  
ズームレンズ群データ
群  始面    焦点距離  
1    1      67.93  
2   12     -15.21  
3   14    -122.40  
4   19     -44.93  
5   22      42.00  
6   26      51.78  
【００４２】
【表１】
0006545113.tif 000003
【符号の説明】
【００４３】
ＵＦ  第１レンズ群      ＵＭ  変倍系      ＵＲ  後群      Ｖ  レンズ群
Ｖ１  第１変倍レンズ群      Ｖ２  第２変倍レンズ群        Ｃ  レンズ群
【図１】
0006545113.tif 000004
【図２】
0006545113.tif 000005
【図３】
0006545113.tif 000006
【図４】
0006545113.tif 000007
【図５】
0006545113.tif 000008